(57)【特許請求の範囲】
【請求項１】
コンクリート製の法枠内へ、植生用包装植土を充填してなり、前記法枠の底板は、礫又は砂をセメントで成形固化して形成し、かつ前記底板は、該底板を設置した法面に植物を根付かせることができる小貫通孔を設け、前記植生用包装植土は、所定量の植土の外周を包装し、前記法枠の底板に面する側の包装を通水性があって、植物根が貫通できる材質とし、上面及び外周面側の包装を引裂抵抗力が大きく遮光性のある材質としたことを特徴とする植生用法枠装置。
【請求項２】
植生用包装植土は、１つの法枠に複数個充填したことを特徴とする請求項１記載の植生用法枠装置。
【請求項３】
法枠に充填できる量及び形状とした植生用植土の上面及び外周面を、遮光性を有する織布を含む引裂抵抗力の大きなシートで包装し、下面を通水性があり、かつ植物根の貫通し易い材質のシートで包装したことを特徴とする植生用包装植土。
【発明の詳細な説明】
【０００１】
【発明の属する技術分野】
この発明は、法枠の内側に包装植土を充填し、風雨等による植土の損流失を防止することを目的とした植生用法枠装置及び植生用包装植土に関する。
【０００２】
【従来の技術】
従来、堤防等の法面に、底板を有する法枠を設置し、該法枠内に土を充填し、これに植物を植える植生用法枠装置が知られていた。
【０００３】
【発明により解決すべき課題】
前記のように、法枠内に、土を充填したのみ、又は土を充填し植物を植えても、植物が根付く前に、風雨等により、土及び肥料等が損流失する問題点があった。
【０００４】
【課題を解決する為の手段】
然るにこの発明は、底板を有する法枠内に、植生用包装植土を充填したので、風雨等による損流失を防止すると共に、土、肥料などを植物の成長迄十分保持し、前記従来の問題点を解決したのである。
【０００５】
即ち植生用法枠装置の発明は、コンクリート製の法枠内へ、植生用包装植土を充填してなり、前記法枠の底板は、礫又は砂をセメントで成形固化して形成し、かつ前記底板は、該底板を設置した法面に植物を根付かせることができる小貫通孔を設け、前記植生用包装植土は、所定量の植土の外周を包装し、前記法枠の底板に面する側の包装を通水性があって、植物根が貫通できる材質とし、上面及び外周面側の包装を引裂抵抗力が大きく遮光性のある材質としたことを特徴とする植生用法枠装置である。前記植生用包装植土は１つの法枠に複数個充填したものである。
【０００６】
次に植生用包装植土の発明は、法枠に充填できる量及び形状とした植生用植土の上面及び外周面を、遮光性を有する織布を含む引裂抵抗力の大きなシートで包装し、下面を通水性があり、かつ植物根の貫通し易い材質のシートで包装したことを特徴とする植生用包装植土である。ここで、前記強靭なシートは、例えば表面はポリプロピレン織布で、裏面はポリエステル不織布の２層構造で、強靭であり、植物を保護する特性がある。また通水性で植物根を貫通し易い材質とは、例えば合成樹脂繊維よりなる不織布である。
【０００７】
前記この発明の装置は、堤防等の傾斜面に、法枠を接して設置する従来公知の使用法であるが、植生から植物の繁殖まで一貫して保全性の信頼度が高い。
【０００８】
【発明の実施の形態】
この発明は、底板を有するコンクリート法枠の内側へ包装植土を充填したことを特徴とする植生用法枠装置である。前記包装植土は、土、腐植土及び肥料などを所定割合に混合した植生用植土とし、その所定量を所定形状に成形し、これを強靭なシートで包装し、少なくとも下面（法枠側）は通水性、かつ植物根が貫通し易い材質のシートとした植生用包装植土である。
【０００９】
【実施例１】
この発明の植生用法枠装置の実施例を図１、２、３、４、５、６に基づいて説明する。コンクリート製の法枠体１ａの底板１ｂ上に、法枠１の周側壁１ｃの高さより低い十字状の補強リブ１ｄを一体的に成形して法枠１を構成する。前記底板１ｂは砂利その他の小礫をセメントで成形固化したもので、成形後は植物根２ａが貫通できる多数の連続間隙４を形成したものである。前記補強リブ１ｄにより形成した区画３内に、植生用包装植土５を二個づつ充填して植生用法枠装置６を構成する。前記植生用包装植土５の包装シート７は、底板１ｂとの対向側を通水性があって、かつ植物根２ａが貫通できるポリエステル不織布７ａとし、また上面及び外周面を引裂抵抗力が大きいポリプロピレン織布７ｂで構成してある。
【００１０】
前記植生用法枠装置６の使用方法を図７に基づいて説明する。堤防等の法面８に、底板１ｂを有する法枠１を互いに当接させて並列設置する。次に補強リブ１ｄ区画３内に、植生用包装植土５を二個づつ、ポリエステル不織布７ａの面を下にして充填する。前記植生用包装植土５の上面のポリプロピレン織布７ｂに適宜穴をあけ、植土に種を撒くか又は所定の植物２を植える。前記植生用包装植土５の底面及び法枠１の底板１ｂは植物根２ａが貫通できる材質からなっているので（又は孔がもうけてある）、植物２を堤防の法面８に根付かせることができる。前記ポリプロピレン織布は、遮光性が優れているので（例えば黒色）、防草効果があり、除草の手間を省くことができる。従って除去しにくい法面などに特に有効である。
【００１１】
前記において法枠１の底板１ｂを砂利（又は礫）とセメントで成形固化し、前記底板１ｂに多数の連続間隙を設けたが、前記底板１ｂを通常通り砂とセメントで成形固化し、該底板１ｂに数個の孔９を設けることもできる（図３、４）。
【００１２】
【実施例２】
この発明の植生用包装植土５の実施例を図６、７に基づいて説明する。土、腐植土、肥料等を一定の割合で混合した植生用植土の上面及び外周側面を引裂抵抗性の大きいポリプロピレン織布７ｂで包装し、下面を通水性で、かつ植物の根が貫通できるポリエステル不織布７ａで包装したものである。
【００１３】
前記植生用包装植土５は、図１のように植生用法枠１内に充填して使用する。実際使用に際しては、先ず前記法枠１を通常の要領により設置した後（図７）、各法枠１の内側に包装植土５を充填する。ついで前記包装植土５の上面のポリプロピレン織布の適所を必要の大きさに引裂き、播種又は植物を植える。
【００１４】
前記包装植土５の上面及び外周面をポリプロピレン織布７ｂで包装してあるので、風で植土が損失したり雨などにより植土が流出するおそれがなく、かつ水分を保有することができる。また包装植土５の下面はポリエステル不織布等で包装してあるので、通気性、通水性を有し、かつ植物根が貫通できるので、法面に植物が生長するのに支障を来すおそれはない。
【００１５】
【発明の効果】
この発明によれば、法枠内に包装植土を充填したので、特別の手段を構ずることなく、植土の損流失を未然に防止できると共に、植物根の保護と根張りを促進する効果がある。
【００１６】
またこの発明の包装植土は、取り扱いが便利であり、上面及び周側面は長く植土を保持し、下面は通気性、通水性を有して、かつ植物根が貫通できるので、植物の生長に支障を来すおそれがないなどの効果がある。
【図面の簡単な説明】
【図１】この発明の植生用法枠装置の平面図。
【図２】同じく縦断正面図。
【図３】同じく法枠の他の実施例の平面図。
【図４】同じく図３中Ａ−Ａ断面図。
【図５】この発明の包装植土の実施例の断面拡大図。
【図６】同じく他の実施例の断面拡大図。
【図７】この発明の装置を法面に使用した状態を示す一部を省略説明図。
【図８】同じく植物の状態を示す一部断面拡大図。
【符号の説明】
１ 法枠
１ａ 法枠体
１ｂ 底板
１ｃ 周側壁
１ｄ 補強リブ
２ 植物
２ａ 植物根
３ 区画
４ 間隙
５ 植生用包装植土
６ 植生用法枠装置
７ 包装シート
７ａ ポリエステル不織布
７ｂ ポリプロピレン織布
８ 法面
９ 孔
【図１】
0003834729.tif 000002
【図２】
0003834729.tif 000003
【図３】
0003834729.tif 000004
【図４】
0003834729.tif 000005
【図５】
0003834729.tif 000006
【図６】
0003834729.tif 000007
【図７】
0003834729.tif 000008
【図８】
0003834729.tif 000009